(57)【要約】【課題】保守管理作業を軽減する。【解決手段】非接触ＩＣタグ３０の登録構成情報記憶部３１には、管理者が登録した登録構成情報が格納されている。情報処理装置１０の運用が開始されると、構成情報取得手段１１は、初期化実行時などのタイミングで情報処理装置１０の構成要素に関する情報を取得して構成情報を生成し、構成情報書込手段１２は、その構成情報を非接触ＩＣタグ３０の構成情報記憶部３２に記憶する。保守が開始されると、端末装置２０の照合手段２２は、非接触ＩＣタグ３０から登録構成情報と構成情報とを読み出し、これを照合する。これにより、登録がされた後の装置構成の変更が検出される。【選択図】図１
2008152416.tif 000002
【特許請求の範囲】
【請求項１】
複数の構成要素を備えた情報処理装置の装置構成を保守管理する装置構成管理方法において、
前記情報処理装置の装置構成を設定する権限を有する管理者によって登録された前記構成要素に関する登録構成情報を記憶する登録構成情報記憶部と、前記情報処理装置を実際に構成する前記構成要素に関する構成情報を記憶する構成情報記憶部と、を有する非接触ＩＣタグと接続する前記情報処理装置の運用時に、前記情報処理装置の構成情報取得手段が、初期化実行時または要求がされたとき、前記情報処理装置を構成する前記構成要素に関する情報を収集して構成情報を生成し、前記情報処理装置の構成情報書込手段が、前記構成情報取得手段が生成した前記構成情報を前記構成情報記憶部に格納し、
前記情報処理装置の保守が開始されると、前記非接触ＩＣタグと接続可能な端末装置の照合手段が、前記非接触ＩＣタグの前記登録構成情報記憶部に格納される前記登録構成情報と、前記構成情報記憶部に格納される前記構成情報とを読み出して照合し、照合結果を通知する、
手順を実行することを特徴とする装置構成管理方法。
【請求項２】
前記装置構成管理方法は、さらに、
前記端末装置の前記照合手段が、前記非接触ＩＣタグの保守情報格納領域に保守作業有を設定しておき、
前記情報処理装置の照合手段が、前記情報処理装置が初期化されたとき、前記非接触ＩＣタグの前記保守情報格納領域を読み出し、保守作業有が設定されていれば、前記構成情報取得手段が取得した前記構成情報と、前記登録構成情報記憶部に格納される前記登録構成情報とを照合し、前記構成情報が前記登録構成情報と一致しているか否かを判定し、前記情報処理装置の通知手段が、前記構成情報と前記登録構成情報とが一致していないときは、装置構成の不一致を外部に通知する、
手順を有することを特徴とする請求項１記載の装置構成管理方法。
【請求項３】
前記装置構成管理方法は、さらに、
前記端末装置の登録構成情報書込手段が、操作入力部を介して前記登録構成情報のダウンロード要求を受付けると、前記管理者によって登録された前記登録構成情報を前記非接触ＩＣタグの前記登録構成情報記憶部に書き込む手順を有することを特徴とする請求項１記載の装置構成管理方法。
【請求項４】
複数の構成要素を備えた情報処理装置の装置構成を保守管理するための装置構成管理プログラムにおいて、
コンピュータを、
前記情報処理装置の装置構成を設定する権限を有する管理者によって登録された前記構成要素に関する登録構成情報を記憶する登録構成情報記憶部と、前記情報処理装置を実際に構成する前記構成要素に関する構成情報を記憶する構成情報記憶部と、前記情報処理装置に対する保守作業の有無を示す保守情報を記憶する保守情報格納部と、を有する非接触ＩＣタグと接続し、初期化実行時または要求がされたとき、前記情報処理装置を構成する前記構成要素に関する情報を収集して構成情報を生成する構成情報取得手段、
前記構成情報取得手段が生成した前記構成情報を前記非接触ＩＣタグの前記構成情報記憶部に格納する構成情報書込手段、
前記非接触ＩＣタグの前記保守情報格納部から前記保守情報を読み出し、前記保守情報に保守作業有が設定されていれば、前記非接触ＩＣタグの前記登録構成情報記憶部から前記登録構成情報を読み出して、前記構成情報と照合する照合手段、
前記照合手段により、前記登録構成情報と前記構成情報との不一致が検出された場合に、不一致検出を外部に通知する通知手段、
として機能させることを特徴とする装置構成管理プログラム。
【発明の詳細な説明】
【技術分野】
【０００１】
本発明は装置構成管理方法及び装置構成管理プログラムに関し、特に複数の構成要素を備えた情報処理装置の装置構成を保守管理する装置構成管理方法及び装置構成管理プログラムに関する。
【背景技術】
【０００２】
従来、事業所などに配備される各種装置は、予め決められた保守管理者によってその保守管理業務が行われている。保守管理者は、保守管理業務を行うため、管理対象の装置を構成する構成要素の種類やバージョンなどを登録した保守管理情報を保有している。そして、故障発生時の保守作業や、新たな装置の導入作業などを行うときには、保有する保守管理情報を用いる。この保守管理情報を作成した時点では、保守管理情報に登録した装置構成と実際の装置構成とは一致しているが、一般的に、時間の経過とともに、様々な要因によって登録上の装置構成と実際の装置構成とが一致しなくなってしまう。このため、保守作業の前に、保守管理者の保有する保守管理情報を実際の装置に合わせるという作業が必要となっていた。
【０００３】
そこで、保守管理情報を管理対象の情報処理装置内に資源構成情報として設定しておき、必要に応じてこれを利用する資源構成情報管理方式が提案されている（たとえば、特許文献１）。
【０００４】
また、各構成ユニットの少なくとも１つに取り付けられる非接触ＩＣタグに各構成ユニットのＩＤ情報を登録しておき、必要に応じてこの情報を読み出すことによって装置内の構成を把握する機器が提案されている（たとえば、特許文献２）。
【特許文献１】特許第３１８３３９８号
【特許文献２】特開２００４−２０１４８１号公報（図１）
【発明の開示】
【発明が解決しようとする課題】
【０００５】
しかし、従来の装置の保守管理では、保守管理情報に設定される登録上の装置構成と、実際の装置構成との照合が容易ではないという問題点があった。
上記のように、保守管理情報の設定時には、保守管理情報と実際の装置構成とは一致している。しかしながら、運用が開始されると、保守管理者以外の第三者によって保守管理者が意図していない装置構成に勝手に変更されることがある。特に、管理対象の装置がパーソナルコンピュータなどの情報処理装置であれば、保守管理者でなくても構成要素の追加や削除、あるいは諸機能の設定の変更などを容易に行うことができるため、保守管理情報と実際の装置構成との不一致が生じやすい。
【０００６】
このため、保守作業の開始前に、保守管理者によって実際の装置構成を取得し、登録されている保守管理情報と照合して相違点を検出する作業が行われていた。このような作業の大部分は、人手によって行われており、保守管理者にとって多大な負担となっていた。上記の特許文献２では、保守管理情報であるＩＤ情報は格納されているが、実際の構成を確認し、照合する作業は保守管理者に任されていた。
【０００７】
また、保守管理情報に登録された装置構成と実際の装置構成とが違ってしまうケースとしては、保守作業における設定ミスによるものもある。保守作業時、保守管理者が意図的に装置構成を変更するとき、保守管理情報も装置構成に合わせて変更する必要がある。このとき設定ミスが発生すると、保守管理情報における装置構成と実際の装置構成とが一致しなくなる。また、設定ミスの内容によっては、新たな装置構成では、起動しなくなってしまうことも考えられる。しかしながら、従来の保守管理では、変更設定時のミスにより生じた登録上の装置構成と実際の装置構成との不一致検出も人手にまかされており、作業者の負担となっていた。上記の特許文献１では、装置自身に保守管理情報を保持させているが、登録された装置構成情報は、装置内の記憶手段に格納されており、装置を起動してからでなければ、登録された情報を確認することができず、作業負担を軽減することは難しかった。
【０００８】
本発明はこのような点に鑑みてなされたものであり、登録上の装置構成と実際の装置構成との照合を容易にすることによって、保守管理作業の軽減を図ることが可能な装置構成管理方法及び装置構成管理プログラムを提供することを目的とする。
【課題を解決するための手段】
【０００９】
本発明では上記課題を解決するために、図１に示すようなシステムにおける装置構成管理方法が提供される。本発明に係る装置構成管理方法は、複数の構成要素を備えた情報処理装置１０、保守管理に用いる端末装置２０、及び非接触ＩＣタグ３０を有するシステムにおける情報処理装置１０の装置構成の保守管理に適用される。ここで、非接触ＩＣタグ３０は、登録構成情報記憶部３１と、構成情報記憶部３２とを有する。登録構成情報記憶部３１は、情報処理装置１０の装置構成を設定する権限を有する管理者が、情報処理装置１０について登録した構成要素に関する登録構成情報を記憶する。構成情報記憶部３２は、任意の時点で情報処理装置１０を実際に構成している構成要素に関する構成情報を記憶する。非接触ＩＣタグ３０と有線または無線で接続し、登録構成情報記憶部３１及び構成情報記憶部３２へアクセス可能な情報処理装置１０の構成情報取得手段１１は、運用が開始されると、初期化実行時または要求がされたとき、情報処理装置を構成する構成要素に関する情報を収集して構成情報を生成する。次に、構成情報書込手段１２が、生成された構成情報を非接触ＩＣタグ３０の構成情報記憶部３２に格納する。その後、情報処理装置１０の保守が開始されると、非接触ＩＣタグ３０の登録構成情報記憶部３１及び構成情報記憶部３２へアクセス可能な端末装置２０の照合手段２２が、非接触ＩＣタグ３０の登録構成情報記憶部３１に格納される登録構成情報と、構成情報記憶部３２に格納される構成情報と、を読み出して照合し、照合結果を通知する。
【００１０】
このような装置構成管理方法によれば、情報処理装置１０の運用が開始されると、初期化実行時などのタイミングで、構成情報取得手段１１が、情報処理装置１０の構成要素に関する情報を収集し、構成情報を生成する。構成情報は、構成情報書込手段１２が、非接触ＩＣタグ３０の構成情報記憶部３２に格納する。これにより、非接触ＩＣタグ３０の構成情報記憶部３２には、情報処理装置１０の実際上の装置構成を表す構成情報の最新情報が格納される。また、非接触ＩＣタグ３０には、登録構成情報記憶部３１が用意されており、予め権限を有する管理者などが設定した情報処理装置１０の登録上の装置構成に相当する登録構成情報が格納されている。保守作業が開始されると、端末装置２０の照合手段２２は、非接触ＩＣタグ３０から登録構成情報と構成情報とを読み出し、これを照合し、照合結果を通知する。情報処理装置１０の装置構成に変更がなければ、照合結果は一致となり、変更されていれば不一致となる。これにより、装置構成の変更が検出される。
【００１１】
また、上記課題を解決するために、複数の構成要素を備えた情報処理装置の装置構成を保守管理するための装置構成管理プログラムにおいて、コンピュータを、情報処理装置の装置構成を設定する権限を有する管理者によって登録された構成要素に関する登録構成情報を記憶する登録構成情報記憶部と、情報処理装置を実際に構成する構成要素に関する構成情報を記憶する構成情報記憶部と、情報処理装置に対する保守作業の有無を示す保守情報を記憶する保守情報格納部と、を有する非接触ＩＣタグと接続し、初期化実行時または要求がされたとき、情報処理装置を構成する構成要素に関する情報を収集して構成情報を生成する構成情報取得手段、構成情報取得手段が生成した構成情報を非接触ＩＣタグの構成情報記憶部に格納する構成情報書込手段、非接触ＩＣタグの保守情報格納部から保守情報を読み出し、保守情報に保守作業有が設定されていれば、非接触ＩＣタグの登録構成情報記憶部から登録構成情報を読み出して、構成情報と照合する照合手段、照合手段により、登録構成情報と構成情報との不一致が検出された場合に、不一致検出を外部に通知する通知手段、として機能させることを特徴とする装置構成管理プログラム、が提供される。
【００１２】
このような装置構成管理プログラムは、情報処理装置１０に適用され、コンピュータに以下の処理を実行させることができる。情報処理装置１０の運用が開始されると、初期化時などのタイミングで構成要素に関する情報を収集し、その時点における実際の装置構成を表す構成情報を生成する。この構成情報は、非接触ＩＣタグ３０の構成情報記憶部３２に格納する。また、非接触ＩＣタグ３０の登録構成情報記憶部３１には、予め権限を有する管理者などが設定した情報処理装置１０の登録上の装置構成に相当する登録構成情報が格納されている。保守作業が行われ、非接触ＩＣタグ３０の保守情報格納部に保守作業有が設定されたことを検出した場合には、登録構成情報記憶部３１に格納される登録構成情報と生成された構成情報を照合し、不一致が検出されれば、これを外部に通知する。これにより、保守作業が正常に完了したかどうかが判別される。
【発明の効果】
【００１３】
本発明の装置構成管理では、情報処理装置は、運用が開始されると、所定のタイミングで実際の装置構成を取得し、構成情報として非接触ＩＣタグの構成情報記憶部に記憶しておく。保守管理作業時には、端末装置が、管理者によって登録された登録構成情報と構成情報とを読み出し照合を行う。これにより、保守作業時、登録上の装置構成と実際の装置構成とが自動的に照合されるので、保守管理者は、登録設定がされた後の装置構成の変更を容易に把握することができる。この結果、保守管理作業の軽減を図ることができる。
【発明を実施するための最良の形態】
【００１４】
以下、本発明の実施の形態を図面を参照して説明する。まず、実施の形態に適用される発明の概念について説明し、その後、実施の形態の具体的な内容を説明する。
図１は、実施の形態に適用される発明の概念図である。
【００１５】
本発明に係る保守管理方法を実現する情報処理システムは、保守管理対象の情報処理装置１０、保守管理作業を支援する端末装置２０、及び情報処理装置１０と端末装置２０とからアクセス可能な記憶部を有する非接触ＩＣタグ３０を有する。
【００１６】
情報処理装置１０は、構成情報取得手段１１、構成情報書込手段１２、照合手段１３、及び通知手段１４を有する。これらの各処理手段は、情報処理装置１０の初期化時、あるいは端末装置２０の操作入力部２４を介して入力する保守管理者から指示に応じて起動される。
【００１７】
構成情報取得手段１１は、情報処理装置１０を構成する構成要素、たとえば、ＣＰＵ（Central Processing Unit）、メモリなどの内部構成要素、及び外部接続するドライブ装置やプリンタなどの外部構成要素に関する情報を取得する。これらの情報は、たとえば、アクティベーション技術などで用いられているハードウェア構成のチェック機能などを利用して取得する。
【００１８】
構成情報書込手段１２は、構成情報取得手段１１が取得した実際の装置構成を表した構成情報を非接触ＩＣタグ３０の構成情報記憶部３２に書き込む。また、端末装置２０を介して保守管理者による登録指示が入力されれば、構成情報を登録構成情報として登録構成情報記憶部３１に書き込むこともできる。
【００１９】
照合手段１３は、必要であれば、登録構成情報と構成情報とを照合する。たとえば、端末装置２０から照合指示があったとき、あるいは、保守作業が終了し、登録構成情報と実際の装置構成を一致させる必要があるときなどに照合処理が必要となる。保守作業が終了したかどうかは、共有の非接触ＩＣタグ３０の記憶領域に保守情報格納領域を設け、この保守情報格納領域を介して情報処理装置１０に通知することができる。照合が必要であれば、登録構成情報記憶部３１から登録構成情報を読み出し、構成情報取得手段１１が生成した構成情報と照合する。なお、構成情報は、最新の構成情報が格納されていれば、構成情報記憶部３２から読み出してもよい。照合の結果、登録構成情報と、構成情報とが不一致であれば、その結果を通知手段１４経由で出力し、保守管理者に注意を促す。登録構成情報と、構成情報とが一致していれば、保守作業が正常に終了したと判断し、保守情報格納領域の照合要求をリセットする。
【００２０】
通知手段１４は、照合手段１３における照合によって、登録上の装置構成と、実際の装置構成とが異なっていることが検出されたとき、これを外部に通知するための手段として用いられる。たとえば、警告音の発生や、表示ランプの点滅などを具備し、これらを操作することによって通知を行う。また、ディスプレイが接続されているときには、ディスプレイ上に表示を行うとしてもよい。
【００２１】
端末装置２０は、登録構成情報書込手段２１、照合手段２２、表示部２３、及び操作入力部２４を有し、保守管理を行う権限を有する保守管理者による保守作業を支援する。
登録構成情報書込手段２１は、操作入力部２４を介して端末装置２０を操作する保守管理者のダウンロード指示を受付けると、非接触ＩＣタグ３０の登録構成情報記憶部３１に、登録構成情報を書き込む。登録構成情報には、装置構成を決定する権限を有する保守管理者が認めた装置構成が設定されている。また、保守作業では、この登録構成情報と一致するように装置構成を設定する。
【００２２】
照合手段２２は、保守作業の開始前などに、情報処理装置１０の装置構成が、前回の保守作業などによって設定された登録構成情報から変化していないかどうかを確認するため、前回の保守作業時に設定された登録構成情報と、リアルタイムに更新される構成情報とを照合する。具体的には、登録構成情報記憶部３１から登録構成情報、構成情報記憶部３２から構成情報を読み出す。そして、登録上の装置構成を表した登録構成情報と、実際の装置構成を現した構成情報とを照合し、その結果を表示部２３経由で出力する。
【００２３】
表示部２３は、照合手段２２の照合結果の他、保守管理の支援のための各種情報を表示する。
操作入力部２４は、保守作業を行う作業者が行った操作を受付け、その操作に応じた指示入力を他の処理手段へ通知する。
【００２４】
非接触ＩＣタグ３０は、登録構成情報を記憶する登録構成情報記憶部３１、及び構成情報を記憶する構成情報記憶部３２の記憶手段を有する。また、非接触ＩＣタグ３０は、情報処理装置１０に貼付される。
【００２５】
登録構成情報記憶部３１には、登録権限を有する保守管理者による指示によってのみ書き込みが許可される記憶部であり、予め情報処理装置１０の装置構成として保守管理者が設定した登録装置構成情報が格納される。なお、必要に応じて、格納する登録構成情報を暗号化しておいてもよい。構成情報記憶部３２には、情報処理装置１０が初期化時などに取得した構成情報が格納される。読み出しは、登録構成情報記憶部３１及び構成情報記憶部３２ともに、情報処理装置１０及び端末装置２０のどちらからも実行できる。
【００２６】
このように、登録構成情報記憶部３１への書き込みを制限することで、登録構成情報を第三者による書き換えなどから保護することができる。また、登録構成情報及び構成情報を非接触ＩＣタグ３０に格納しておくことにより、端末装置２０は、情報処理装置１０が電源オフしていてもその登録上の装置構成と、実際の装置構成とを照合することができる。さらに、必要に応じて、情報処理装置１０に対し、所定の処理を実行することを要求する保守情報などを設定する領域も確保される。なお、この領域は、登録構成情報記憶部３１内に用意されてもよい。
【００２７】
このような構成の情報処理装置１０の装置構成管理方法について説明する。
運用開始前、保守管理者もしくは、保守管理者の許可を受けた保守作業者は、予め設定し、端末装置２０に格納しておいた登録構成情報を、情報処理装置１０に貼付される非接触ＩＣタグ３０の登録構成情報記憶部３１に格納する。また、端末装置２０を介して情報処理装置１０を起動し、初期化時に情報処理装置１０が取得した構成情報を登録構成情報として登録構成情報記憶部３１に格納できるようにしてもよい。いずれかの処理を用いて、運用開始までに、非接触ＩＣタグ３０の登録構成情報記憶部３１に、登録構成情報を設定しておく。
【００２８】
運用が開始されると、情報処理装置１０では、初期化されるごとに、構成情報取得手段１１が、情報処理装置１０の装置構成を取得し、構成情報書込手段１２が、取得した構成情報を非接触ＩＣタグ３０の構成情報記憶部３２に格納する。構成情報書込手段１２は、取得された現時点の装置の構成情報を、非接触ＩＣタグ３０の構成情報記憶部３２に格納する。これにより、構成情報記憶部３２には、最新の装置の構成に関する構成情報が格納されている。たとえば、第三者によって装置構成が変更をされたときは、変更された装置の構成情報が構成情報記憶部３２に格納される。
【００２９】
保守作業では、保守管理者は、端末装置２０を操作して、端末装置２０及び情報処理装置１０に対して指示を行う。端末装置２０では、保守作業の開始が指示されると、まず、装置構成に変更がないかどうかを確認する。照合手段２２を起動し、非接触ＩＣタグ３０から登録構成情報と構成情報とを読み出して照合する。照合の結果は、表示部２３を介して端末装置２０を操作する保守管理者に伝えられる。登録構成情報の設定から保守作業を開始した時点までに第三者が無断で装置構成や設定の変更を行っていれば、照合の結果が不一致となる。また、装置構成の不一致箇所についても、必要であれば表示部２３に表示される。この作業は、非接触ＩＣタグ３０に格納される情報を読み出して行うので、保守のために情報処理装置１０の電源がオフされていても実行することができる。
【００３０】
保守管理者は、装置構成の変更を希望するときは、新たな登録構成情報を用意し、登録構成情報書込手段２１によって登録構成情報記憶部３１へ書き込む。このとき、登録構成情報と実際の装置構成とを照合する保守処理を情報処理装置１０に実行させるため、登録構成情報とともに保守作業が行われたことを示す「保守作業有」を保守情報を設定しておく。保守情報の設定は、保守作業の開始と同時に設定するとしてもよい。
【００３１】
登録構成情報の書き込みと、装置構成の変更が終了し、情報処理装置１０の電源が投入されると、構成情報取得手段１１は、情報処理装置１０の装置構成を取得する。構成情報書込手段１２は、取得された現時点の装置の構成情報を非接触ＩＣタグ３０の構成情報記憶部３２に格納する。続いて、非接触ＩＣタグ３０の所定の記憶領域に格納される保守情報を読み出すと、「保守作業有」が設定されているので、照合手段１３は、登録構成情報記憶部３１に格納される登録構成情報を読み出し、構成情報と照合する。このとき、登録構成情報と構成情報とが不一致であれば、通知手段１４を介して不一致を外部に通知する。保守情報は、「保守作業有」をそのまま残す。一方、一致していれば、保守情報の「保守作業有」をリセットする。保守管理者は、通知手段１４を確認し、不一致通知がされていれば、保守作業を再開し、登録構成情報と構成情報とが同じになるようにいずれかを修正する。その保守作業後、情報処理装置１０の電源の再投入または指示に応じて、照合手段１３は、再び登録構成情報と構成情報とを照合し、不一致であれば、通知手段１４を介して通知する。このように、登録構成情報と構成情報とが一致するまで、処理は繰り返し行われる。これにより、保守時の登録ミスや、装置の変更のミスを防止することができる。
【００３２】
以下、実施の形態を図面を参照して詳細に説明する。
図２は、本発明の実施の形態の情報処理装置の装置構成管理システムの構成図である。
本発明に係る装置構成管理システムは、複数の構成要素から成る情報処理装置１００と、情報処理装置１００の構成情報及び登録構成情報を格納するＲＦＩＤ(Radio Frequency Identification System)タグＡ３０１とＲＦＩＤタグＢ３０２と、保守管理作業時に用いられるＰＤＡ（Personal Digital Assistant）２００と、保守管理の権限が与えられた保守管理者の保守管理者端末４００とを有する。
【００３３】
情報処理装置１００は、複数の構成要素を備えたコンピュータであり、構成要素の追加や削除、あるいは諸機能の設定を容易に行うことができる。また、ＲＦＩＤタグＡ３０１、及びＲＦＩＤタグＢ３０２へのデータ書き込みとデータ読み出しとを行うＲＦＩＤリーダ／ライタ機能を備えている。
【００３４】
ＰＤＡ２００は、保守作業を支援する端末装置であり、情報処理装置１００と同様に、ＲＦＩＤタグＡ３０１、及びＲＦＩＤタグＢ３０２へのデータ書き込みとデータ読み出しとを行うＲＦＩＤリーダ／ライタ機能を備えている。
【００３５】
ＲＦＩＤタグＡ３０１は、保守作業を許可された保守管理者が操作するＰＤＡ２００からのデータ書き込みが可能な登録構成情報記憶部を有し、登録構成情報と、保守情報とを格納する。ＲＦＩＤタグＢ３０２は、情報処理装置１００がデータ書き込み可能な構成情報記憶部を有し、構成情報を格納する。ＲＦＩＤタグＡ３０１及びＲＦＩＤタグＢ３０２からのデータの読み出しは、ＰＤＡ２００及び情報処理装置１００のいずれからも可能である。情報処理装置１００の運用時には、ＲＦＩＤタグＡ３０１及びＲＦＩＤタグＢ３０２は、情報処理装置１００に貼付される。なお、実施の形態では、ＲＦＩＤタグを２つとしたが、１つのＲＦＩＤタグの領域を分ける構成とすることもできる。
【００３６】
保守管理者端末４００は、情報処理装置１００の装置構成の決定など、保守管理の権限を有する保守管理者の端末装置であり、記憶部には、情報処理装置１００を含む管理対象の装置に関する保守管理情報を記憶する。ＰＤＡ２００と有線または無線で接続し、データ交換を行う機能も備えており、情報処理装置１００が配備される場所へ行って装置構成の変更などの保守作業を行うときに、情報処理装置１００に新たに登録される装置構成に関する登録構成情報をＰＤＡ２００にダウンロードすることができる。
【００３７】
ここで、情報処理装置１００のハードウェア構成について説明する。図３は、本実施の形態の情報処理装置のハードウェア構成例を示すブロック図である。
情報処理装置１００は、ＣＰＵ１０１によって装置全体が制御されている。ＣＰＵ１０１には、バス１０８を介してＲＡＭ（Random Access Memory）１０２、ハードディスクドライブ（ＨＤＤ：Hard Disk Drive）１０３、グラフィック処理装置１０４、入力インタフェース１０５、通信インタフェース１０６、及びＲＦＩＤリーダ／ライタ１０７が接続されている。
【００３８】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションのプログラムが格納される。グラフィック処理装置１０４には、モニタ５０１が接続されており、ＣＰＵ１０１からの命令に従って画像をモニタ５０１の画面に表示させる。入力インタフェース１０５には、キーボード５０２やマウス５０３が接続されており、キーボード５０２やマウス５０３から送られてくる信号を、バス１０８を介してＣＰＵ１０１に送信する。通信インタフェース１０６は、ネットワーク５０４に接続されており、ネットワーク５０４を介してネットワーク５０４に接続する他の装置との間でデータの送受信を行う。ＲＦＩＤリーダ／ライタ１０７は、情報処理装置１００に貼付されるＲＦＩＤタグＡ３０１及びＲＦＩＤタグＢ３０２と有線または無線で接続し、ＲＦＩＤタグＡ３０１及びＲＦＩＤタグＢ３０２との間のデータの読み出しと書き込みを制御する。
【００３９】
このようなハードウェア構成によって、本実施の形態の処理機能を実現することができる。なお、図３には、情報処理装置１００のハードウェア構成を示したが、ＰＤＡ２００及び保守管理者端末４００のハードウェア構成も同様である。
【００４０】
次に、各装置の処理機能について説明する。図４は、本発明の実施の形態の情報処理装置、ＲＦＩＤタグ、及びＰＤＡの機能ブロック図である。図２と同じものには同じ番号を付し、説明は省略する。
【００４１】
ＲＦＩＤタグＡ３０１は、権限を有する保守管理者の指示が行われたときのみデータの書き込みが可能となる記憶領域Ａ３１０を有し、保守管理者によって設定された登録構成情報と、保守情報とを格納する。実施の形態では、保守情報は、保守作業の実行有無を１／０のフラグであるとし、以下の説明では、保守情報を保守フラグと表記する。ＲＦＩＤタグＢ３０２は、情報処理装置１００が書き込みを行う記憶領域Ｂ３２０を有し、情報処理装置１００で認識された装置の構成情報を格納する。
【００４２】
情報処理装置１００は、制御部１１０が全体を制御し、通信インタフェース（図ではＩ／Ｆ、以下、Ｉ／Ｆとする）１０６経由でＰＤＡ２００、あるいは他の装置と接続し、所定の処理を実行する。電源投入時、あるいは、通信Ｉ／Ｆ１０６を介してＰＤＡ２００から初期化指示があったときは、初期化部１２０を起動する。初期化部１２０は、構成情報収集部１２１、構成情報書込部１２２、及び照合部１２３を具備し、起動されると、構成情報収集部１２１が、情報処理装置１００の装置構成要素に関する情報を収集する。収集された構成情報は、構成情報書込部１２２が、ＲＦＩＤリーダ／ライタ１０７を介してＲＦＩＤタグＢ３０２の記憶領域Ｂ３２０に書き込む。また、照合部１２３は、ＲＦＩＤリーダ／ライタ１０７を介してＲＦＩＤタグＡ３０１の記憶領域Ａ３１０から保守情報を読み出す。そして、保守フラグがオン、すなわち、「保守作業有」が設定されていれば、実際の装置構成と登録上の装置構成とが一致するかどうかを調べる。このため、記憶領域Ａ３１０から登録構成情報を読み出し、構成情報収集部１２１が生成した構成情報と照合する。構成情報は、記憶領域Ｂ３２０から読み出してもよい。照合の結果、登録構成情報と構成情報とが一致していなければ、「不一致」を、表示部１３０を介して伝える。一致している場合は、保守フラグをリセットし、保守作業を正常完了させる。また、必要であれば、表示部１３０を介して正常完了の結果を伝える。
【００４３】
ＰＤＡ２００は、制御部２２０が装置全体を制御し、通信Ｉ／Ｆ２０６経由で保守管理者端末４００、情報処理装置１００、あるいは他の装置と接続し、所定の処理を実行する。ダウンロードデータ記憶部２１０は、保守管理者端末４００から取得し、記憶領域Ａ３１０にダウンロードする登録構成情報を格納する。制御部２２０は、操作入力部２５０を介して入力された作業者の指示に応じて、要求された各処理を実行させる。ダウンロード処理部２３０は、制御部２２０に従って、ダウンロードデータ記憶部２１０に格納される登録構成情報を、ＲＦＩＤリーダ／ライタ２０７を介してＲＦＩＤタグＡ３０１の記憶領域Ａ３１０に書き込む。照合部２４０は、制御部２２０に従って、ＲＦＩＤリーダ／ライタ２０７を介して記憶領域Ａ３１０に格納される登録構成情報と記憶領域Ｂ３２０に格納される構成情報とを読み出して照合し、制御部２２０を介して結果を表示部２６０に表示する。
【００４４】
ここで、ＲＦＩＤタグＡ３０１の記憶領域Ａ３１０、及びＲＦＩＤタグＢ３０２の記憶領域Ｂ３２０に格納される情報ついて説明する。図５は、本発明の実施の形態のＲＦＩＤタグＡ及びＲＦＩＤタブＢに格納される情報の一例を示した図である。
【００４５】
ＲＦＩＤタグＡ３０１の記憶領域Ａ３１０には、登録構成情報３１１と、保守フラグ３１２が格納される。登録構成情報３１１は、構成要素のその識別情報が登録されている。たとえば、図の例では、構成要素「ＣＰＵ」の識別情報は、動作周波数の「８００ＭＨｚ」であることが登録されている。識別情報は、その他、部品の製造番号や、種別などであってもよい。保守フラグ３１２は、保守作業が行われたかどうかを、オン／オフの２値で表す。すなわち、保守作業有（保守作業が正常に完了していない）状態を保守作業有（＝１）、保守作業が正常完了した状態を保守作業完了（＝０）で表す。ここでは、「保守作業有」は、保守作業がされた後、登録構成情報と構成情報との照合が行われていないか、あるいは、照合を行ったが、登録構成情報と構成情報とが不一致であった状態を表す。また、「保守作業完了」は、保守作業終了後に照合が行われ、登録構成情報と構成情報とが一致したことにより保守作業が正常完了したと判定された状態を表す。
【００４６】
ＲＦＩＤタグＢ３０２の記憶領域Ｂ３２０には、構成情報３２１が格納される。構成情報３２１に設定される情報項目は、登録構成情報３１１と同様である。
以下、上記の構成の情報処理装置１００の装置構成の管理システムの動作について、（１）運用開始前、（２）運用、及び（３）保守作業の３つの段階に分けて説明する。
【００４７】
（１）運用開始前
所定の処理を実行させて情報処理装置１００の運用を開始させる前に、運用開始時の情報処理装置１００の装置構成を表した登録構成情報を、ＲＦＩＤタグＡ３０１の記憶領域Ａ３１０に設定する処理を行う。このため、まず、ＲＦＩＤタグＡ３０１、及びＲＦＩＤタグＢ３０２を情報処理装置１００に貼付し、ＰＤＡ２００より情報処理装置１００に登録構成情報を設定する指示を行う。指示を受けた情報処理装置１００の動作を説明する。
【００４８】
図６は、本発明の実施の形態の運用開始前の情報処理装置の処理手順を示したフローチャートである。
情報処理装置１００は、ＰＤＡ２００経由で、登録構成情報の設定指示を入力し、処理を開始する。
【００４９】
［ステップＳ１１］  構成情報収集部１２１は、情報処理装置１００の装置構成を収集し、構成情報を生成する。そして、出力先を記憶領域Ａ３１０に指定、または、登録構成情報にすることを指定して処理を次ステップへ進める。
【００５０】
［ステップＳ１２］  構成情報収集部１２１が収集した構成情報を登録構成情報とすることが指定されたので、構成情報を暗号化し、登録構成情報とする。そして、構成情報書込部１２２が、ＲＦＩＤリーダ／ライタ１０７を介して、ＲＦＩＤタグＡ３０１の記憶領域Ａ３１０に、暗号化された登録構成情報を書き込み、処理を終了する。
【００５１】
以上の処理手順が実行されることにより、運用開始前の情報処理装置１００の装置構成が、登録構成情報としてＲＦＩＤタグＡ３０１に格納される。
こうして初期設定が終了すると、運用が開始される。
【００５２】
（２）運用
運用が開始されると、情報処理装置１００は、制御部１１０に従って所定の処理を実行する。そして、電源投入後の初期化時や、ＰＤＡ２００からの指示を入力したときには、その時点における情報処理装置１００の装置構成を把握し、その構成情報をＲＦＩＤタグＢ３０２に格納する。
【００５３】
すなわち、構成情報収集部１２１は、情報処理装置１００の装置構成を収集し、構成情報を生成する。構成情報書込部１２２は、ＲＦＩＤリーダ／ライタ１０７を介して、ＲＦＩＤタグＢ３０２の記憶領域Ｂ３２０に、構成情報を書き込み、処理を終了する。
【００５４】
このように、電源オフの間に装置構成が変更された可能性がある電源投入からの立ち上がり時、ＰＤＡ２００を介した保守管理者の指示に応じて、その時点での情報処理装置１００の構成情報がＲＦＩＤタグＢ３０２の記憶領域Ｂ３２０に格納される。したがって、記憶領域Ａ３１０には、保守管理者が設定した登録上の装置構成、そして記憶領域Ｂ３２０には、情報処理装置１００の最新の装置構成が格納されている。
【００５５】
（３）保守作業
情報処理装置１００の運用が開始された後、必要に応じて保守作業が行われる。図７は、本発明の保守作業の処理手順の概略を示したフローチャートである。
【００５６】
保守管理者、または保守管理者の依頼を受けた作業者が、ＰＤＡ２００を用いて、保守作業の開始を設定して、ＰＤＡ２００による処理が開始される。
［ステップＳ２１］  ＰＤＡ２００は、保守管理者による操作入力を受けて、装置構成の照合処理を行う。ＰＤＡ２００による装置構成照合処理では、情報処理装置１００について、記憶領域Ａ３１０に格納される登録構成情報と、記憶領域Ｂ３２０に格納される現時点の構成情報とを照合し、前回作業時から現時点までに装置構成が変化しているかどうかを検出するとともに、保守フラグをオンする。処理の詳細は後述する。
【００５７】
［ステップＳ２２］  今回の保守作業が、情報処理装置１００の装置構成の変更を伴う作業であるかどうかを判定する。たとえば、ＰＤＡ２００に装置構成の変更有無を問い合わせる画面を表示し、保守管理者の操作入力を待って判断する。装置構成の変更を伴わないときは、処理を終了し、装置構成を変更するときは、次ステップへ処理を進める。
【００５８】
［ステップＳ２３］  装置構成の変更を行うときは、変更後の装置構成状態を表した登録構成情報をダウンロードする処理を行う。処理の詳細は後述する。
以上の処理手順をＰＤＡ２００で実行した後、保守作業６００が実行される。なお、ＰＤＡ２００による処理手順は、情報処理装置１００の電源はオンしなくても実行することができる。保守作業６００では、装置の交換や、追加などの作業が行われる。
【００５９】
保守作業６００が終了したら、情報処理装置１００の電源がオフされていれば、オンし、オンしていれば初期化要求を行う。電源投入または初期化要求により、保守作業完了後の情報処理装置の処理手順が開始される。
【００６０】
［ステップＳ３１］  保守フラグがオンであるかどうかを判定する。保守フラグは、保守作業開始時、ＰＤＡ２００のステップＳ２１によってオンに設定されているので、保守作業直後であれば、保守フラグは、オンになっている。オンでなければ処理を終了し、オンであれば、次ステップへ処理を進める。
【００６１】
［ステップＳ３２］  保守フラグがオンであるので、装置構成の照合処理を行う。情報処理装置１００の照合処理では、その時点における実際の装置構成を取得し、登録構成情報と照合して行う。これにより、設定ミス、または、交換ミスなどを検出する。処理の詳細は後述する。
【００６２】
以上の処理手順が実行されることにより、保守作業の開始前と、保守作業の終了時点で、自動的に登録上の装置構成と、実際の装置構成との照合が行われる。そして、不一致が検出されれば、保守管理者に通知される。これにより、保守管理者の負担を軽減することが可能となる。
【００６３】
以下、ＰＤＡによる装置構成照合処理（ステップＳ２１）、及び登録構成情報ダウンロード処理（ステップＳ２３）と、情報処理装置１００による装置構成照合処理（ステップＳ３２）の処理手順を説明する。
【００６４】
図８は、本発明の実施の形態のＰＤＡによる装置構成照合処理の手順を示したフローチャートである。
［ステップＳ２１１］  ＲＦＩＤタグＡ３０１の記憶領域Ａ３１０に格納される登録構成情報を読み込む。
【００６５】
［ステップＳ２１２］  ＲＦＩＤタグＢ３０２の記憶領域Ｂ３２０に格納される構成情報を読み込む。
［ステップＳ２１３］  ステップＳ２１１で読み込んだ登録上の装置構成を表した登録構成情報と、ステップＳ２１２で読み込んだ実際の装置構成を表した構成情報とを照合する。
【００６６】
［ステップＳ２１４］  照合結果が、不一致であるか、一致であるかを判定する。不一致でなければ、処理をステップＳ２１６へ進め、不一致であれば処理を次ステップへ進める。
【００６７】
［ステップＳ２１５］  登録構成情報と構成情報とが不一致であることを通知する。たとえば、ＰＤＡ２００の画面に不一致を表示する。必要であれば、不一致となった構成要素を表示するようにしてもよい。
【００６８】
［ステップＳ２１６］  保守フラグをオンし、保守作業終了後に、情報処理装置において装置構成の照合を行うように指示し、処理を終了する。
以上の処理手順が実行されることにより、前回保守作業時から現時点までの装置構成の変更が検出される。
【００６９】
図９は、本発明の実施の形態のＰＤＡによる登録構成情報ダウンロード処理の手順を示したフローチャートである。
装置構成が変更されるときに、処理が起動される。
【００７０】
［ステップＳ２３１］  変更後の装置構成を示した登録構成情報を、保守管理者端末４００よりダウンロードする。なお、ダウンロードは、保守作業開始前に行われていてもよい。また、ＰＤＡ２００を操作して、変更後の装置構成を登録するようにしてもよい。
【００７１】
［ステップＳ２３２］  ステップＳ２３１により取得した登録構成情報を、ＲＦＩＤタグＡ３０１の記憶領域Ａ３１０に書き込み、処理を終了する。
以上の処理手順が実行されることにより、変更後の登録構成情報が、記憶領域Ａ３１０に格納される。
【００７２】
図１０は、本発明の実施の形態の情報処理装置による装置構成照合処理の手順を示したフローチャートである。
保守作業終了後に情報処理装置１００が初期化され、処理が開始される。
【００７３】
［ステップＳ３２１］  構成情報収集部１２１が、情報処理装置１００の装置構成を収集し、構成情報を生成する。
［ステップＳ３２２］  構成情報書込部１２２が、ステップＳ３２１で生成された構成情報を、ＲＦＩＤタグＢ３０２の記憶領域Ｂ３２０に書き込む。
【００７４】
［ステップＳ３２３］  記憶領域Ａ３１０に格納される保守フラグを読み出し、保守フラグがオンであるかどうかを判定する。オンでなければ、処理を終了する。オンであれば、次ステップへ処理を進める。
【００７５】
［ステップＳ３２４］  保守フラグがオンであるので、記憶領域Ａ３１０に格納される登録構成情報を読み出し、登録構成情報と、ステップＳ３２１で取得された構成情報とを照合する。
【００７６】
［ステップＳ３２５］  照合結果が、一致であるか、不一致であるかを判定する。不一致であれば、処理をステップＳ３２８へ進め、一致であれば処理を次ステップへ進める。
［ステップＳ３２６］  登録構成情報と構成情報とが一致しているので、保守作業が正常終了と判断し、記憶領域Ａ３１０に構成情報を書き込む。
【００７７】
［ステップＳ３２７］  ステップＳ３２６に続けて、保守フラグをオフし、処理を終了する。これにより保守作業が完了する。
［ステップＳ３２８］  登録構成情報と構成情報とが不一致であるので、不一致を通知し、処理を終了する。
【００７８】
以上の処理手順が実行されることにより、保守作業時の設定ミスなどによる登録上の装置構成と、実際の装置構成との不一致が検出され、一致するまで警告が出される。
なお、上記の処理機能は、コンピュータによって実現することができる。その場合、情報処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【００７９】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００８０】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００８１】
（付記１）  複数の構成要素を備えた情報処理装置の装置構成を保守管理する装置構成管理方法において、
前記情報処理装置の装置構成を設定する権限を有する管理者によって登録された前記構成要素に関する登録構成情報を記憶する登録構成情報記憶部と、前記情報処理装置を実際に構成する前記構成要素に関する構成情報を記憶する構成情報記憶部と、を有する非接触ＩＣタグと接続する前記情報処理装置の運用時に、前記情報処理装置の構成情報取得手段が、初期化実行時または要求がされたとき、前記情報処理装置を構成する前記構成要素に関する情報を収集して構成情報を生成し、前記情報処理装置の構成情報書込手段が、前記構成情報取得手段が生成した前記構成情報を前記構成情報記憶部に格納し、
前記情報処理装置の保守が開始されると、前記非接触ＩＣタグと接続可能な端末装置の照合手段が、前記非接触ＩＣタグの前記登録構成情報記憶部に格納される前記登録構成情報と、前記構成情報記憶部に格納される前記構成情報とを読み出して照合し、照合結果を通知する、
手順を実行することを特徴とする装置構成管理方法。
【００８２】
（付記２）  前記装置構成管理方法は、さらに、
前記端末装置の前記照合手段が、前記非接触ＩＣタグの保守情報格納領域に保守作業有を設定しておき、
前記情報処理装置の照合手段が、前記情報処理装置が初期化されたとき、前記非接触ＩＣタグの前記保守情報格納領域を読み出し、保守作業有が設定されていれば、前記構成情報取得手段が取得した前記構成情報と、前記登録構成情報記憶部に格納される前記登録構成情報とを照合し、前記構成情報が前記登録構成情報と一致しているか否かを判定し、前記情報処理装置の通知手段が、前記構成情報と前記登録構成情報とが一致していないときは、装置構成の不一致を外部に通知する、
手順を有することを特徴とする付記１記載の装置構成管理方法。
【００８３】
（付記３）  前記照合手段が前記構成情報と前記登録構成情報を照合する手順は、前記構成情報と前記登録構成情報とが一致していれば、保守作業は正常に完了したと判定し、前記保守情報格納領域に保守作業完了を設定する、
ことを特徴とする付記２記載の装置構成管理方法。
【００８４】
（付記４）  前記装置構成管理方法は、さらに、
前記情報処理装置と前記端末装置とを所定のネットワークで接続し、前記端末装置の操作入力部を介して入力する指示を前記所定のネットワークを介して前記情報処理装置に伝達し、前記情報処理装置の構成情報書込手段は、前記端末装置を介して前記管理者からの登録指示が入力されると、前記構成情報を前記登録構成情報とし、必要に応じて暗号化を施した後、前記登録構成情報記憶部に格納する、
ことを特徴とする付記１記載の装置構成管理方法。
【００８５】
（付記５）  前記装置構成管理方法は、さらに、
前記端末装置の登録構成情報書込手段が、操作入力部を介して前記登録構成情報のダウンロード要求を受付けると、前記管理者によって登録された前記登録構成情報を前記非接触ＩＣタグの前記登録構成情報記憶部に書き込む手順を有することを特徴とする付記１記載の装置構成管理方法。
【００８６】
（付記６）  前記非接触ＩＣタグの前記登録構成情報記憶部への書き込み操作は、前記端末装置の前記操作入力部を介して前記管理者の指示が入力されたときのみ行われる、
ことを特徴とする付記５記載の装置構成管理方法。
【００８７】
（付記７）  前記非接触ＩＣタグの前記登録構成情報記憶部に前記登録構成情報を格納する手順は、前記登録構成情報を暗号化してから行う、
ことを特徴とする付記６記載の装置構成管理方法。
【００８８】
（付記８）  複数の構成要素を備えた情報処理装置の装置構成を保守管理するための装置構成管理プログラムにおいて、
コンピュータを、
前記情報処理装置の装置構成を設定する権限を有する管理者によって登録された前記構成要素に関する登録構成情報を記憶する登録構成情報記憶部と、前記情報処理装置を実際に構成する前記構成要素に関する構成情報を記憶する構成情報記憶部と、前記情報処理装置に対する保守作業の有無を示す保守情報を記憶する保守情報格納部と、を有する非接触ＩＣタグと接続し、初期化実行時または要求がされたとき、前記情報処理装置を構成する前記構成要素に関する情報を収集して構成情報を生成する構成情報取得手段、
前記構成情報取得手段が生成した前記構成情報を前記非接触ＩＣタグの前記構成情報記憶部に格納する構成情報書込手段、
前記非接触ＩＣタグの前記保守情報格納部から前記保守情報を読み出し、前記保守情報に保守作業有が設定されていれば、前記非接触ＩＣタグの前記登録構成情報記憶部から前記登録構成情報を読み出して、前記構成情報と照合する照合手段、
前記照合手段により、前記登録構成情報と前記構成情報との不一致が検出された場合に、不一致検出を外部に通知する通知手段、
として機能させることを特徴とする装置構成管理プログラム。
【００８９】
（付記９）  複数の構成要素を備えた情報処理装置の装置構成を保守管理するための装置構成管理システムにおいて、
前記情報処理装置の装置構成を設定する権限を有する管理者によって登録された前記構成要素に関する登録構成情報を記憶する登録構成情報記憶部と、前記情報処理装置を実際に構成する前記構成要素に関する構成情報を記憶する構成情報記憶部と、前記情報処理装置に対する保守作業の有無を示す保守情報を記憶する保守情報格納部と、を有する非接触ＩＣタグと、
前記情報処理装置を構成する前記構成要素に関する情報を収集し、前記構成情報を生成する構成情報取得手段と、前記構成情報を前記非接触ＩＣタグの前記構成情報記憶部に書き込む構成情報書込手段と、前記非接触ＩＣタグの前記保守情報格納部から前記保守情報を読み出し、前記保守情報に保守作業有が設定されていれば、前記非接触ＩＣタグの前記登録構成情報記憶部から前記登録構成情報を読み出して、前記構成情報と照合する照合手段と、前記照合手段により、前記登録構成情報と前記構成情報との不一致が検出された場合に、不一致検出を外部に通知する通知手段と、を有する前記情報処理装置と、
操作入力部を介して前記管理者からの前記登録構成情報のダウンロード要求を受付けると、前記管理者によって登録された前記登録構成情報を前記非接触ＩＣタグの前記登録構成情報記憶部に書き込む登録構成情報書込手段と、前記情報処理装置の保守が開始されると、前記非接触ＩＣタグの前記登録構成情報記憶部に格納される前記登録構成情報と、前記構成情報記憶部に格納される前記構成情報とを読み出して照合し、照合結果を通知する照合手段と、を有する端末装置と、
を有することを特徴とする装置構成管理システム。
【図面の簡単な説明】
【００９０】
【図１】実施の形態に適用される発明の概念図である。
【図２】本発明の実施の形態の情報処理装置の装置構成管理システムの構成図である。
【図３】本実施の形態の情報処理装置のハードウェア構成例を示すブロック図である。
【図４】本発明の実施の形態の情報処理装置、ＲＦＩＤタグ、及びＰＤＡの機能ブロック図である。
【図５】本発明の実施の形態のＲＦＩＤタグＡ及びＲＦＩＤタブＢに格納される情報の一例を示した図である。
【図６】本発明の実施の形態の運用開始前の情報処理装置の処理手順を示したフローチャートである。
【図７】本発明の保守作業の処理手順の概略を示したフローチャートである。
【図８】本発明の実施の形態のＰＤＡによる装置構成照合処理の手順を示したフローチャートである。
【図９】本発明の実施の形態のＰＤＡによる登録構成情報ダウンロード処理の手順を示したフローチャートである。
【図１０】本発明の実施の形態の情報処理装置による装置構成照合処理の手順を示したフローチャートである。
【符号の説明】
【００９１】
１０  情報処理装置
１１  構成情報取得手段
１２  構成情報書込手段
１３  照合手段
１４  通知手段
２０  端末装置
２１  登録構成情報書込手段
２２  照合手段
２３  表示部
２４  操作入力部
３０  非接触ＩＣタグ
３１  登録構成情報記憶部
３２  構成情報記憶部
【図１】
2008152416.tif 000003
【図２】
2008152416.tif 000004
【図３】
2008152416.tif 000005
【図４】
2008152416.tif 000006
【図５】
2008152416.tif 000007
【図６】
2008152416.tif 000008
【図７】
2008152416.tif 000009
【図８】
2008152416.tif 000010
【図９】
2008152416.tif 000011
【図１０】
2008152416.tif 000012